(57)【要約】【課題】端子台と点灯装置との間に防滴手段を介在させ、点灯装置への水気の浸入を抑制し、点灯装置の電気絶縁性を維持する照明装置を提供することを目的とする。【解決手段】光源が設けられるとともに、電源線Ｌ1が導入される電源線導入口４６を有する本体ケース４と、この本体ケース２に設けられ電源線Ｌ1が接続される端子台６と、本体ケース４の電源線導入口４６の下方に配設され、前記光源を点灯制御する点灯装置７と、前記電源線導入口４６と点灯装置７との間に介在され、点灯装置７への水気の浸入を防止する防滴手段１０と、前記点灯装置７と電源線導入口４６との配設方向に対して略直交する方向に導出されて防滴手段１０を貫通することなく端子台６に接続される配線手段Ｌ2とを備える照明装置１である。【選択図】図５
2010055966.tif 000002
【特許請求の範囲】
【請求項１】
光源が設けられるとともに、電源線が導入される電源線導入口を有する本体ケースと；
この本体ケースに設けられ電源線が接続される端子台と；
本体ケースの電源線導入口の下方に配設され、前記光源を点灯制御する点灯装置と；
前記電源線導入口と点灯装置との間に介在され、点灯装置への水気の浸入を防止する防滴手段と；
前記点灯装置と電源線導入口との配設方向に対して略直交する方向に導出されて防滴手段を貫通することなく端子台に接続される配線手段と；
を具備することを特徴とする照明装置。
【請求項２】
前記本体ケースは、一面に開口部を有し、前記防滴手段の上面は当該開口部に向かって下方に傾斜していることを特徴とする請求項１に記載の照明装置。
【発明の詳細な説明】
【技術分野】
【０００１】
本発明は、本体ケースに電源線導入口を有する誘導灯などの照明装置に関する。
【背景技術】
【０００２】
従来、この種、照明装置として、例えば、誘導灯は、本体ケースに天井裏等から電源線を導入する電源線導入口を有し、この電源線導入口から導入した電源線を端子台に接続し、また、端子台の下方に点灯装置を配設し、この点灯装置と端子台とを配線コードによって接続している。このため、点灯装置を収納しているケース上面には、配線コードが貫通する挿通孔が形成されている（例えば、特許文献１及び特許文献２参照）。
【特許文献１】２００４−２３３８０４号公報
【特許文献２】２００４−２０６９６８号公報
【発明の開示】
【発明が解決しようとする課題】
【０００３】
しかしながら、天井裏等は、必ずしも乾燥した状態であるとはいえず、従来の誘導灯では、天井裏等で結露した水気が電源線を伝わって装置内部に入り、そして、電源線から滴下した水気が配線コードの挿通孔から点灯装置に浸入し、点灯装置の電気絶縁性を破壊してしまう虞があった。
【０００４】
本発明は、上記課題に鑑みなされたもので、端子台と点灯装置との間に防滴手段を介在させ、点灯装置への水気の浸入を抑制し、点灯装置の電気絶縁性を維持する照明装置を提供することを目的とする。
【課題を解決するための手段】
【０００５】
請求項１に記載の照明装置は、光源が設けられるとともに、電源線が導入される電源線導入口を有する本体ケースと；この本体ケースに設けられ電源線が接続される端子台と；  本体ケースの電源線導入口の下方に配設され、前記光源を点灯制御する点灯装置と；前記電源線導入口と点灯装置との間に介在され、点灯装置への水気の浸入を防止する防滴手段と；前記点灯装置と電源線導入口との配設方向に対して略直交する方向に導出されて防滴手段を貫通することなく端子台に接続される配線手段と；を具備することを特徴とする。  光源には、ＬＥＤ、有機ＥＬ等の固体発光素子や冷陰極放電ランプ等が適用できる。「略直交する方向に導出」とは、厳密に方向を規定するものではなく、防滴手段を貫通することなく、防滴手段を避けて導出されることを主旨とするものである。照明装置は、誘導灯、非常灯やディスプレイ装置を含む概念である。
【０００６】
請求項２に記載の照明装置は、請求項１に記載の照明装置において、前記本体ケースは、一面に開口部を有し、前記防滴手段の上面は当該開口部に向かって下方に傾斜していることを特徴とする。
【発明の効果】
【０００７】
請求項１に記載の発明によれば、端子台と点灯装置との間に防滴手段が介在しているので、点灯装置への水気の浸入を抑制し、点灯装置の電気絶縁性を維持することが可能となり安全性の向上を図ることができる。
【０００８】
請求項２に記載の発明によれば、請求項１の発明の効果に加え、滴下した水気を円滑に排出することが可能となる。
【発明を実施するための最良の形態】
【０００９】
以下、本発明の実施形態に係る照明装置について図１乃至図８を参照して説明する。図１は、照明装置として誘導灯を示す斜視図、図２は、本体ユニットと表示ユニットとを分解して示す斜視図、図３は、本体ユニットを示す正面図、図４は、本体ユニットを分解して示す斜視図、図５は、本体ユニットを一部分解して示す斜視図、図６は、点灯装置及び点灯装置ケースを示す斜視図、図７は、点灯装置ケースを示す背面側斜視図、図８は、本体ユニットを示す斜視図である。
【００１０】
図１及び図２において、誘導灯１は、天井面や垂直な壁面等の設置面に設置されて使用可能なように構成されている。そして、誘導灯１は、本体ユニット２と、この本体ユニット２に装着される表示ユニット３とから構成されている。また、本体ユニット２は、本体ケース４、光源ユニット５、端子台６、点灯装置７及びバッテリ８を備えている。
【００１１】
まず、表示ユニット３は、略矩形枠状のユニットケース３１の内側に板状のアクリル樹脂製の導光板３２が配設されて構成されている。この導光板３２の表面側には、誘導表示として人が避難している状態を示すピクトグラムが表示された表示パネル３３が設けられており、ユニットケース３１は、本体ユニット２に対し、係脱手段３４によって着脱可能となっている。
【００１２】
図２乃至図４に示すように、本体ユニット２は、正面背面方向の寸法、つまり、厚さ寸法が小さく正面側を開口部４１とした扁平な箱状の本体ケース４を備え、この本体ケース４の内側に光源ユニット５、端子台６、点灯装置７等が配設されている。図４に代表して示すように、本体ケース４は絶縁性を有する白色の合成樹脂にて一体に形成され、四角形板状の背面部４２、上面部４３、下面部４４及び両側の側面部４５を有し、上面部４３、下面部４４及び両側の側面部４５とで四角形枠状に形成されている。
【００１３】
上面部４３には、円孔状の電源線導入口４６が略中央部に位置して形成されているとともに、この電源線導入口４６の両側に位置して、本体ケース４を支持し設置面部に取付けるボルト等の取付具が挿通する取付孔４７が形成されている。同様に、背面部４２の略中央部上側にも円孔状の電源線導入口４６が形成されているとともに、この電源線導入口４６の両側に位置して、取付孔４７が形成されている。これら上面部４３及び背面部４２に形成した電源線導入口４６、取付孔４７は、誘導灯１を天井面や壁面等の設置面に選択的に設置するために用いられるものであり、容易に開口可能なノックアウト構造となっている。さらに、背面部４２の略中央部には、両側方向に延出する突起状の庇部４８が形成されている。また、本体ケース４の内側には、本体ケース４の内側形状に沿い、前記上面部４３及び背面部４２に形成された電源線導入口４６、取付孔４７並びに背面部４２に形成された庇部４８に対応した貫通孔４６ａ、４７ａ、４８ａが形成された金属板製の補強体４９が係合手段によって取付けられている。
【００１４】
光源ユニット５は、光源としてＬＥＤチップが用いられ、複数のＬＥＤチップが表面実装された基板と、この基板を保持する基板取付ホルダとを備えている。基板は、細長状に形成されており、ＬＥＤチップが実装された面を下方に向けた状態で本体ケース４の上部に取付けられている。したがって、ＬＥＤチップから出射された光は、導光板３２の上端面、すなわち、入射面に入射するようになっている。
【００１５】
端子台６は、略四角形の箱状に形成されて背面部４２の取付孔４７の下側に位置して補強体４９に取付けられており、電源線導入口４６から導入される外部の電源線や内部の配線コード等の芯線が挿入されて電気的に接続される複数の自己鎖錠形の端子を有している。
【００１６】
点灯装置７は、基板７１にトランスＴｒ、ＩＣ、スイッチング素子としてトランジスタＱ、電解コンデンサＣ、基板用端子台Ｔ、コネクタＣｎ等の点灯回路部品７２が実装されて構成されている。この基板７１には、その両面に回路部品７２が実装されており、表面側には、トランス等の背の高い部品が図示上左側に集約されて配置されている。一方、図示しない裏面には背の低い半導体素子や抵抗素子等が表面実装方式により実装されており、したがって、表面側の図示上右側には、回路部品は実装されておらず、回路パターンのみが配線されて構成されている。また、点灯装置７は、端子台６を介して電源線に接続され、その出力を光源ユニット５のＬＥＤチップに供給し、常用点灯としてＬＥＤチップを点灯制御するとともにバッテリ８を充電し、電源からの電力が遮断された場合には、バッテリ８の電力に切替えて非常点灯としてＬＥＤチップを点灯するようになっている。さらに、点灯装置７には、図示しない点検スイッチが接続され、点検スイッチの操作によりバッテリ８の充電状態等の点検動作を行うことが可能になっている。加えて、点灯装置７には、リモコン受信部が接続され、リモコンの操作により、点灯装置７を操作し設定作業等を行うことができるようになっている。
【００１７】
点灯装置７を収納する合成樹脂製の点灯装置ケース７３は、図５乃至図７に示すように、全体形状が略直方体状に形成され、基板７１の背の高い部品が実装された領域をカバーする第１のカバー部７３ａと、回路パターンのみが配線された領域をカバーする第２のカバー部７３ｂとを備えている。したがって、第１のカバー部７３ａは、背の高い部品をカバーするため奥行き寸法が深い箱状をなし、第２のカバー部７３ｂは、奥行き寸法が浅く形成されて背面側が開口しており、この開口から基板７１が取付けられるようになっている（図６参照）。そして、正面視、点灯装置ケース７３は、第１のカバー部７３ａと第２のカバー部７３ｂとで段状を形成している。このような構成により、第２のカバー部７３ｂの前面側にはスペースＳが形成され、このスペースＳにバッテリ８が配設されるようになっている。バッテリ８は、充電可能な二次電池が用いられ、バッテリケースに収納されて、前記スペースＳに配設される。
【００１８】
ここで、点灯装置ケース７３の上面壁７３ｃは、点灯装置７への水気の浸入を防止する防滴手段１０を構成している。防滴手段１０は、平板状で点灯装置７の上部を閉塞するように覆っており、点灯装置７から導出される配線コード等の配線手段が通過する挿通孔を有さない構成となっている。したがって、防滴手段１０は、電源線導入口４６と点灯装置７との間に介在されており、基板用端子台Ｔ、コネクタＣｎ等から導出される配線手段は、防滴手段１０を避けて点灯装置と電源線導入口との配設方向に対して略直交する方向に導出、すなわち、横方向に導出されて端子台６や光源ユニット５に接続されることとなる（図５参照、矢印で示す）。また、防滴手段１０は、本体ケース４の開口部４１に向かって若干の角度をもって下方に傾斜して構成されている。なお、金属板製の補強体４９と点灯装置７との間には絶縁シート７４が介在されており、点灯装置ケース７３の第１のカバー部７３ａの外面には金属板製の補強板７５が取付けられている（図４参照)。
【００１９】
以上のように構成された誘導灯１は、天井面や壁面等の設置面に設置してされて使用される。電源を投入すると、ＬＥＤチップが点灯し、その光が導光板３２の入射面に入射し、入射した光が表示パネル３３を発光させ、誘導表示のピクトグラムが明示されるようになる。また、バッテリ８の交換等のメンテナンスにあたっては、図２に示すように、光源ユニット５等を取外すことなく、本体ユニット２から表示ユニット３を取外すことにより行うことができ、メンテナンスがしやすい構成となっている。
【００２０】
次に、本実施形態の作用を主として図８を参照して説明する。誘導灯１を天井面に設置し上部側から電源線が導入される場合、本体ケース４の上面部４３に形成されたノックアウトの電源線導入口４６及び取付孔４７を開口する。そして、天井面の設置位置に予め配線されている電源線Ｌ1を電源線導入口４６から本体ケース４内に引き込み、取付孔４７を利用して誘導灯１を天井面にねじやボルト等で固定する。続いて、引き込んだ電源線Ｌ1を端子台６に挿入して接続する。なお、同図においては、点灯装置７の基板用端子台Ｔから横方向に導出されて端子台６に接続された配線手段としての配線コードＬ2を示し、例えば、コネクタＣｎから光源ユニット５に接続される配線コード等は省略している。
【００２１】
このような状態において、仮に、天井裏等で結露した水気が電源線Ｌ1を伝わって本体ケース４内に入り、そして、電源線Ｌ1から水気が滴下したとしても、滴下した水気は、防滴手段１０の上面で受け止められ、点灯装置７へ浸入することは妨げられる。しかも、防滴手段１０は、本体ケース４の開口部４１に向かって傾斜しているので、滴下した水気は開口部４１に向かって誘導されて流れ、滞留することなく、本体ケース４と表示ユニット３のユニットケース３１との間から外部に排出される。さらに詳細には、点灯装置ケース７３、すなわち、防滴手段１０の背面側と補強体４９との間には、僅かながら隙間を生じ、この隙間から点灯装置7へ水気が浸入することを否定できない。このため、この部分からの水気の浸入を防ぐため、隙間を覆うように本体ケース４の背面部４２から補強体４９の貫通孔４８ａを貫通して前面側へ突出する庇部４８が設けられている（図５を併せて参照）。なお、この庇部４８は、隙間の全長に亘って設けるようにしてもよい。したがって、庇部４８は、水気の浸入を二重に抑制する機能を担っている。
【００２２】
以上にように本実施形態によれば、端子台６と点灯装置７との間に防滴手段１０が介在しているので、点灯装置７への水気の浸入を抑制し、点灯装置７の電気絶縁性を維持することが可能となり安全性の向上を図ることができる。また、防滴手段１０は、点灯装置ケース７３の上面壁７３ｃで兼用しているので、格別な部材を設けることなく構成できる。さらに、防滴手段１０は、本体ケース４の開口部４１に向かって傾斜しているので、滴下した水気を円滑に排出することが可能となる。さらにまた、庇部４８により水気の浸入を二重に抑制することができる。
【００２３】
なお、本発明は、上記実施形態の構成に限定されることなく、発明の要旨を逸脱しない範囲で種々の変形が可能である。例えば、防滴手段は、点灯装置のケースを兼ねることなく、特別に専用部材として設けてもよく、光源としては、ＬＥＤに限らず、冷陰極放電ランプ等を用いてもよい。また、誘導灯としては、両面表示タイプのものに適用してもよい。さらに、本発明は、誘導灯に限らず、非常灯などの照明器具やディスプレイ装置などにも適用可能である。
【図面の簡単な説明】
【００２４】
【図１】本発明の実施形態に係る誘導灯を示す斜視図である。
【図２】同本体ユニットと表示ユニットとを分解して示す斜視図である。
【図３】同本体ユニットを示す正面図である。
【図４】同本体ユニットを分解して示す斜視図である。
【図５】同本体ユニットを一部分解して示す斜視図である。
【図６】同点灯装置及び点灯装置ケースを示す斜視図である。
【図７】同点灯装置ケースを示す背面側斜視図である。
【図８】同本体ユニットを示す斜視図である。
【符号の説明】
【００２５】
１・・・照明装置（誘導灯）、４・・・本体ケース、５・・・光源ユニット、
６・・・端子台、７・・・点灯装置、１０・・・防滴手段、
４１・・・本体ケースの開口部、４６・・・電源線導入口、
７３・・・点灯装置ケース、Ｌ1・・・電源線、Ｌ2・・・配線手段
【図１】
2010055966.tif 000003
【図２】
2010055966.tif 000004
【図３】
2010055966.tif 000005
【図４】
2010055966.tif 000006
【図５】
2010055966.tif 000007
【図６】
2010055966.tif 000008
【図７】
2010055966.tif 000009
【図８】
2010055966.tif 000010
【手続補正書】
【提出日】平成21年3月27日(2009.3.27)
【手続補正１】
【補正対象書類名】図面
【補正対象項目名】図３
【補正方法】変更
【補正の内容】
【図３】
2010055966.tif 000011